(57)【要約】【課題】金属を含む被収納物又は金属材料を含む包装材で包装された被収納物が収納されている場合であっても、装着された無線ＩＣタグに記憶させた情報の読み出し、又は、読み出し／書き込みなどを外部から支障なく行うことを可能とする。【解決手段】金属を含む被収納物又は金属材料を含む包装材で包装された被収納物を収納する無線ＩＣタグ付き包装体であって、被収納物５０を内部に収納する紙箱５００と、紙箱５００のいずれかの面に装着された無線ＩＣタグ２０ａと、紙箱５００の少なくとも無線ＩＣタグ２０ａが装着された部分の内側に設けられ、紙箱５００と無線ＩＣタグ２０ａとの間隔を、所定の距離以上に保つための間隔保持部材５とを含み、紙箱５００は、複数のシートを貼り合わせたラミネート材１０で形成されていること、及び、無線ＩＣタグ２０ａは、ラミネート材１０のシート間に装着されていることを特徴とする。【選択図】図１
2006256694.tif 000002
【特許請求の範囲】
【請求項１】
金属を含む被収納物又は金属材料を含む包装材で包装された被収納物を収納する無線ＩＣタグ付き包装体であって、
前記被収納物を内部に収納する収納体と；
前記収納体のいずれかの面に装着された無線ＩＣタグと；
前記収納体の少なくとも前記無線ＩＣタグが装着された部分の内側に設けられ、前記被収納物と前記無線ＩＣタグとの間隔を、所定の距離以上に保つための間隔保持手段と；
を含み、
前記収納体は、複数のシートを貼り合わせたラミネート材で形成されていること；及び、
前記無線ＩＣタグは、前記ラミネート材のシート間に装着されていること；
を特徴とする無線ＩＣタグ付き包装体。
【請求項２】
請求項１に記載の無線ＩＣタグ付き包装体において、
前記被収納物は、金属箔又は金属蒸着層を含む積層フィルムで形成された包装材によって、内容物を密封包装してあること；
を特徴とする無線ＩＣタグ付き包装体。
【請求項３】
請求項１に記載の無線ＩＣタグ付き包装体において、
前記間隔保持手段は、前記収納体の前記無線ＩＣタグが装着された部分と前記被収納物との間に挿入され、空気層及び／又は気泡層を有する所定厚みのシートであること；
を特徴とする無線ＩＣタグ付き包装体。
【請求項４】
請求項１に記載の無線ＩＣタグ付き包装体において、
前記間隔保持手段は、前記収納体の少なくとも前記無線ＩＣタグが装着された部分の内側に貼付され、空気層及び／又は気泡層を有する所定厚みのシートであること；
を特徴とする無線ＩＣタグ付き包装体。
【請求項５】
請求項１に記載の無線ＩＣタグ付き包装体において、
前記間隔保持手段は、前記収納体の内部を、前記無線ＩＣタグが装着された領域を含む第１の部分と、前記無線ＩＣタグが装着されていない第２の部分とに区画する仕切り板であること；及び、
前記被収納物は、前記第２の部分に収納されていること；
ことを特徴とする無線ＩＣタグ付き包装体。
【請求項６】
請求項１に記載の無線ＩＣタグ付き包装体において、
前記収納体は、少なくとも１枚の紙シートを含む複数のシートを貼り合わせたラミネート材で形成されていること；及び、
前記無線ＩＣタグは、前記ラミネート材のシート間に装着されていること；
を特徴とする無線ＩＣタグ付き包装体。
【請求項７】
請求項１に記載の無線ＩＣタグ付き包装体において、
前記シートは、凹部が形成されていること；及び、
前記無線ＩＣタグは、前記凹部に装着されていること；
を特徴とする無線ＩＣタグ付き包装体。
【請求項８】
請求項１に記載の無線ＩＣタグ付き包装体において、
前記収納体は、前記無線ＩＣタグの装着部分の外面に、その無線ＩＣタグによる表面の変形を視認しにくくする迷彩印刷層が設けられていること；
を特徴とする無線ＩＣタグ付き包装体。
【請求項９】
請求項１に記載の無線ＩＣタグ付き包装体において、
前記収納体は、紙を含まない積層フィルムからなること；
を特徴とする無線ＩＣタグ付き包装体。
【請求項１０】
請求項１に記載の無線ＩＣタグ付き包装体において、
前記間隔保持手段は、前記無線ＩＣタグと所定の距離以上の部位に、前記収納体の内部と前記被収納物とを接着すること；
を特徴とする無線ＩＣタグ付き包装体。
【発明の詳細な説明】
【技術分野】
【０００１】
本発明は、被収納物を収納する無線ＩＣタグ付き包装体に関するものである。
【背景技術】
【０００２】
近年、無線ＩＣタグ（ＲＦＩＤタグ）は、半導体技術の進展により、その種類、性能の多様化と共に、小型化及び製造コストの低減が進められ、アパレル、食品、流通など、多くの業界において、バーコードとの置き換えにより、物流の効率化を目指して導入の検討が進められている。
このような状況の中で、食品、化粧品、医薬品、玩具、雑貨など殆どの商品は、包装が施され、包装体として流通、販売されている。この包装体に用いる容器は、袋、箱、プラスチックボトル、ガラス瓶、金属缶などの単独のほか、例えば、袋と箱、プラスチックボトルと箱、ガラス瓶と箱、金属缶と箱などのように、複数の容器を組み合わせて用いた容器がある。
上述した箱は、主に板紙、または、複数の紙および／または板紙、更にはプラスチックフィルムなどを貼り合わせたラミネート材、或いは、段ボールなど、紙を主体とする材料で作製された紙箱が使用されることが多い。
【０００３】
一方、無線ＩＣタグは、大別して、（１）読み出し専用の無線ＩＣタグ、（２）読み出し及び書き込みが可能な無線ＩＣタグ、（３）マイクロプロセサー内蔵型無線ＩＣタグ、（４）センサー付き無線ＩＣタグなどの種類がある。これらの無線ＩＣタグは、包装体に取り付けて物流の効率化などを行うためには、例えば、コストの面では、前記（１）の読み出し専用の無線ＩＣタグ、又は、（２）の読み出し及び書き込みが可能な無線ＩＣタグが安価であり使用し易いが、要望される機能に応じて、（３）のマイクロプロセサー内蔵型無線ＩＣタグや、（４）のセンサー付き無線ＩＣタグなども使用することができる。
【０００４】
特許文献１は、非接触通信機能を有する無線ＩＣタグを装着した包装体であって、少なくとも基材フィルムまたはシート上の一部分に導電性インキからなるアンテナが任意パターンで印刷されており、そのアンテナ印刷面にＩＣタグラベルが装着され、さらにそのＩＣタグラベル面上に、シーラントフィルムが積層された積層体からなるＩＣタグ付き包装体が開示されており、流通過程において、無線ＩＣタグが剥落することを防止している。
【０００５】
しかし、このような無線ＩＣタグは、上述した包装体に装着したときに、例えば、包装体の被収納物が、アルミニウム箔などの金属層を含む積層フィルムで形成された袋や、金属缶などの場合には、その包装体の表面に無線ＩＣタグを貼り付けても、無線ＩＣタグの背面に金属があるので、通信方式が電磁誘導方式の１３．５６ＭＨｚ帯の場合には、磁界がアンテナの周りを通らなくなり、また、２．４５ＧＨｚ帯やＵＨＦ帯の場合には、アンテナの同調がずれて、通信できなくなるおそれがあった。
【０００６】
【特許文献１】特開２００３−１５８４１４号公報
【発明の開示】
【発明が解決しようとする課題】
【０００７】
本発明の課題は、金属を含む被収納物又は金属材料を含む包装材で包装された被収納物が収納されている場合であっても、装着された無線ＩＣタグに記憶させた情報の読み出し、又は、読み出し／書き込みなどを外部から支障なく行うことができる無線ＩＣタグ付き包装体を提供することである。
【課題を解決するための手段】
【０００８】
前記課題を解決するために、請求項１の発明は、金属を含む被収納物又は金属材料を含む包装材で包装された被収納物を収納する無線ＩＣタグ付き包装体であって、前記被収納物を内部に収納する収納体と；前記収納体のいずれかの面に装着された無線ＩＣタグと；前記収納体の少なくとも前記無線ＩＣタグが装着された部分の内側に設けられ、前記被収納物と前記無線ＩＣタグとの間隔を、所定の距離以上に保つための間隔保持手段と；を含み、前記収納体は、複数のシートを貼り合わせたラミネート材で形成されていること；及び、前記無線ＩＣタグは、前記ラミネート材のシート間に装着されていること；を特徴とする無線ＩＣタグ付き包装体である。
請求項２の発明は、請求項１に記載の無線ＩＣタグ付き包装体において、前記被収納物は、金属箔又は金属蒸着層を含む積層フィルムで形成された包装材によって、内容物を密封包装してあること；を特徴とする無線ＩＣタグ付き包装体である。
請求項３の発明は、請求項１に記載の無線ＩＣタグ付き包装体において、前記間隔保持手段は、前記収納体の前記無線ＩＣタグが装着された部分と前記被収納物との間に挿入され、空気層及び／又は気泡層を有する所定厚みのシートであること；を特徴とする無線ＩＣタグ付き包装体である。
請求項４の発明は、請求項１に記載の無線ＩＣタグ付き包装体において、前記間隔保持手段は、前記収納体の少なくとも前記無線ＩＣタグが装着された部分の内側に貼付され、空気層及び／又は気泡層を有する所定厚みのシートであること；を特徴とする無線ＩＣタグ付き包装体である。
請求項５の発明は、請求項１に記載の無線ＩＣタグ付き包装体において、前記間隔保持手段は、前記収納体の内部を、前記無線ＩＣタグが装着された領域を含む第１の部分と、前記無線ＩＣタグが装着されていない第２の部分とに区画する仕切り板であること；及び、
前記被収納物は、前記第２の部分に収納されていること；ことを特徴とする無線ＩＣタグ付き包装体である。
請求項６の発明は、請求項１に記載の無線ＩＣタグ付き包装体において、前記収納体は、少なくとも１枚の紙シートを含む複数のシートを貼り合わせたラミネート材で形成されていること；及び、前記無線ＩＣタグは、前記ラミネート材のシート間に装着されていること；を特徴とする無線ＩＣタグ付き包装体である。
請求項７の発明は、請求項１に記載の無線ＩＣタグ付き包装体において、前記シートは、凹部が形成されていること；及び、前記無線ＩＣタグは、前記凹部に装着されていること； を特徴とする無線ＩＣタグ付き包装体である。
請求項８の発明は、請求項１に記載の無線ＩＣタグ付き包装体において、前記収納体は、前記無線ＩＣタグの装着部分の外面に、その無線ＩＣタグによる表面の変形を視認しにくくする迷彩印刷層が設けられていること；を特徴とする無線ＩＣタグ付き包装体である。
請求項９の発明は、請求項１に記載の無線ＩＣタグ付き包装体において、前記収納体は、紙を含まない積層フィルムからなること；を特徴とする無線ＩＣタグ付き包装体である。
請求項１０の発明は、請求項１に記載の無線ＩＣタグ付き包装体において、前記間隔保持手段は、前記無線ＩＣタグと所定の距離以上の部位に、前記収納体の内部と前記被収納物とを接着すること；を特徴とする無線ＩＣタグ付き包装体である。
【発明の効果】
【０００９】
以上説明したように、本発明によれば、収納体内に、金属を含む被収納物又は金属材料を含む包装材で包装された被収納物が収納されている場合であっても、収納体の少なくとも無線ＩＣタグが装着された部分の内側に、被収納物と無線ＩＣタグとの間隔を、所定の距離以上に保つための間隔保持手段を設けたので、被収納物が無線ＩＣタグの背面から、少なくとも所定の距離だけは離され、無線ＩＣタグに書き込まれた包装体の被収納物に関する情報を外部から確実に読み出し、或いは、読み出しと新たな情報の書き込みなどを行うことができ、商品流通の一層の効率化を実現することができる。
【発明を実施するための最良の形態】
【００１０】
本発明は、金属を含む被収納物又は金属材料を含む包装材で包装された被収納物が収納されている場合であっても、装着された無線ＩＣタグに記憶させた情報の読み出し、又は、読み出し／書き込みなどを外部から支障なく行うことができるという目的を、外箱の少なくとも無線ＩＣタグが装着された部分の内側に、被収納物と無線ＩＣタグとの間隔を、所定の距離以上に保つための間隔保持部材等を配置することによって実現する。
以下、図面を参照しながら本発明の実施例について説明する。但し、本発明は、その要旨を越えない限り、これらの図面に限定されるものではない。
【実施例】
【００１１】
［実施例１］
図１は、本発明の無線ＩＣタグ付き包装体の実施例１である無線ＩＣタグ付き紙箱を模式的に示す断面図である。
図２は、実施例１の無線ＩＣタグ付き包装体に用いる紙箱用ラミネート材の一例を模式的に示す断面図である。
【００１２】
実施例１の無線ＩＣタグ付き紙箱５００は、図１に示す紙箱用ラミネート材１０を用いて、打ち抜きおよび製函加工により、胴部の縦断面が矩形状となる横型のシールカートンと同様な形状に作製したものである。
無線ＩＣタグ付き紙箱５００は、胴部が、図１の左下の角部の接着部８で胴貼りされて角筒形に形成されている。この実施例では、紙箱５００で説明するが、本発明の包装体は、紙袋でもよい。紙箱と紙袋の違いは、三次元の形状が紙を強度基材として保持できるか否かという点であり、積層フィルムに紙が積層されて、厚ければ箱になるし、薄ければ袋になる。
【００１３】
無線ＩＣタグ２０ａは、右側の壁板を形成するラミネート材１０の中間部よりやや上寄り位置の紙層の間に装着されている。無線ＩＣタグ付き紙箱５００は、その内部に金属を含む被収納物５０を収納する際に、無線ＩＣタグ２０ａが装着された壁板の内側と被収納物５０との間に、間隔保持手段として、所定の厚みの板状の間隔保持部材５を挿入したものである。
紙箱５００に収納される金属を含む被収納物５０は、各種の電子部材などのように、内容物自体が金属を含むもののほか、内容物を密封包装する包装材料がアルミニウム箔やアルミニウム蒸着層などの金属層を含むものの場合の両方を意味するものである。
【００１４】
間隔保持部材５は、所定の厚みがあり、その厚み方向にフルートの波形状による空気層を有する段ボールや、発泡による気泡層を有する発泡プラスチックなどのシートを使用することができる。この間隔保持材５は、紙やシートを折曲加工して３次元状にしたもの、または、プラスチックを射出成形して、３次元状にしたものでもよい。また、間隔保持部材５は、その挿入を容易にするために、紙箱５００の側面板の寸法よりも多少小さくしているが、大差はないので横方向に動いたとしても、無線ＩＣタグ２０ａと被収納物５０との間隔を、少なくともその厚み分だけは確実に維持することができる。従って、無線ＩＣタグ２０ａは、書き込まれた情報を外部から確実に読み出すことができ、また、書き込まれた情報の読み出しと新たな情報の書き込みとを行うことができる。
この間隔保持部材５は、外箱１０に被収納物５０を挿入するときに、同時に挿入することができるので、特別な手間がかからず、生産性よく挿入することができる。この間隔保持部材５は、安価な材料で段ボールや発泡プラスチックなどで容易に設けることができ、無線ＩＣタグ付き包装体を、一層低コストで生産性よく提供することができる。
【００１５】
間隔保持部材５は、３〜５ｍｍ以上、１０ｍｍ程度の厚みでよい。段ボールは、片面段ボール、両面段ボール、複両面段ボールのいずれか、又は、これらの複数を積層したシートを用いることができる。また、発泡プラスチックのシートは、発泡ポリスチレン、発泡ポリプロピレンなどのシートが好ましく、これらのプラスチック自体は、コスト低減のため再生プラスチックであってもよい。
【００１６】
図２に示すように、紙箱用ラミネート材１０は、外側の紙層１１の表面（図において上側の面）に文字、絵柄等の印刷層１３を設け、その裏面（図において下側の面）の一部に、文字、絵柄等の印刷層１３を基準にして、このラミネート材１０を紙箱に製函したときに、紙箱の所定の位置となる位置に無線ＩＣタグ２０ａを装着し、紙層１１の下側に接着層１４を介して内側の紙層１２を貼り合わせたものである。
印刷層１３は、無線ＩＣタグ２０ａの装着部分の外面に、その無線ＩＣタグ２０ａによる表面の変形を視認しにくくする迷彩印刷を施すこともできる。
【００１７】
このラミネート材１０は、紙層の間に無線ＩＣタグ２０ａを装着する際に、両側の紙層のうち、少なくとも片側の紙層に、エンボスまたは熱プレス手段で成形凹部が設けられ、その成形凹部に、無線ＩＣタグ２０ａを装着するようにしてもよい。この成形凹部は、無線ＩＣタグ２０ａを紙層の間に装着する際に、その装着位置を一層確実にするために設けるものであり、その深さは、特に限定はされないが、無線ＩＣタグ２０ａの厚みの１／２程度から略同一の厚みの深さに設けることが適当である。具体的には、無線ＩＣタグの厚みは、０．０６〜１ｍｍ程度であるため、０．０３〜１ｍｍ程度の範囲の深さに設けることが好ましい。
【００１８】
この成形凹部は、無線ＩＣタグ２０ａを紙層の間に装着する際に、位置ズレなどを生じることがなくなり、一層確実に紙箱５００の所定の位置に無線ＩＣタグ２０ａを装着することができる。
【００１９】
無線ＩＣタグ２０ａは、例えば、図３に示したような無線ＩＣタグ２０を使用することができる。図３は、実施例１の無線ＩＣタグ付き包装体に用いる無線ＩＣタグの一例を模式的に示す平面図である。無線ＩＣタグ２０ａは、ポリエチレンテレフタレートシートなどの支持体２１の上に、電磁波によって情報の入出力を行うための銅製などの導電性のアンテナ２２と、そのアンテナ２２に接続された情報処理のための記憶素子、即ち、ＩＣチップ２３とが設けられている。また、この無線ＩＣタグ２０ａは、必要に応じて、アンテナ２２及びＩＣチップ２３をカバーするように、支持体２１の上に保護フィルムなどの保護層（図示せず）を設けてもよい。
無線ＩＣタグ２０ａを外側の紙層１１の裏面に装着する方法は、特に限定はされず、例えば、粘着剤を使用して貼付してもよく、また、ホットメルト接着剤、ヒートシール剤（感熱接着剤）などを使用して貼付してもよい。
外側の紙層１１および内側の紙層１２は、それぞれ板紙または紙を単独で用いてもよいが、複数の紙および／または板紙を貼り合わせて用いてもよい。更に、複数の紙および／または板紙を貼り合わせて用いる場合は、紙、板紙のほかに、例えば、各種のプラスチックフィルムや合成紙などの金属を含まないフィルム状材料を単独または貼り合わせて用いることもできる。
【００２０】
また、外側の紙層１１と内側の紙層１２との貼り合わせは、接着層１４に酢酸ビニル系エマルジョン接着剤などを用いるウェットラミネーション方式で貼り合わせてもよく、また、接着層１４にポリエチレンなどの接着性樹脂を用いる押し出しラミネーション方式で貼り合わせてもよい。特に、後者の押し出しラミネーション方式で貼り合わせる場合は、接着層１４に厚みをもたせることができるので、無線ＩＣタグ２０ａの埋め込み効果も得られる点で好ましい。
紙箱用ラミネート材１０は、表面の文字、絵柄等の印刷層１３を基準として、通常の紙器の製造と同様に、打ち抜きおよび製函加工を行って、所望の形状の無線ＩＣタグ付き紙箱とすることができる。
【００２１】
実施例１の無線ＩＣタグ付き紙箱５００は、無線ＩＣタグ２０ａと金属を含む被収納物５０との間隔を、確実に３〜５ｍｍ以上、１０ｍｍ程度に離すことができるので、無線ＩＣタグ２０ａに書き込まれた情報を外部から確実に読み出し、或いは、読み出しと新たな情報の書き込みとを行うことができ、商品流通の一層の効率化を実現することができる。
また、無線ＩＣタグ２０ａは、紙箱５００の紙層の間に装着されているので、外部から見ることができず、紙箱５００のデザイン面での違和感をなくすことができ、印刷デザインに影響を及ぼすこともなくなる。
さらに、当事者以外は、紙箱５００に無線ＩＣタグ２０ａが装着されていることが分からないので、悪戯防止効果も得ることができる。
【００２２】
［実施例２］
図４は、本発明の無線ＩＣタグ付き包装体の実施例２である無線ＩＣタグ付き紙箱を模式的に示す断面図である。
実施例２の無線ＩＣタグ付き紙箱６００は、実施例１の無線ＩＣタグ付き紙箱５００と異なるのは、紙箱６００の無線ＩＣタグ２０ａが装着された壁板と被収納物５０との間に挿入した間隔保持部材５の寸法を、少なくとも壁板の無線ＩＣタグ２０ａが装着された部分の内面を覆うことができる程度に小さくした点、および、その間隔保持部材５を、壁板の無線ＩＣタグ２０ａが装着されている部分の内面に接着剤で貼付した点であり、それら以外の部分は、無線ＩＣタグ付き紙箱５００と同様である。
【００２３】
間隔保持部材５の装着は、紙箱６００の形式に応じて、紙箱６００の製函の工程で所定の位置に予め装着できるほか、組み立てた紙箱６００に被収納物５０を挿入する工程で所定の位置に装着することもできる。
実施例２の無線ＩＣタグ付き紙箱６００は、紙箱６００の壁板の一部の紙層の間に装着された無線ＩＣタグ２０ａと被収納物５０との間隔が、少なくとも間隔保持部材５の厚み分だけは確実に保持されるので、外部からのリ一ダー／ライターによる無線ＩＣタグ２０ａへの読み出し／書き込みに際して、被収納物５０に含まれる金属の悪影響を受けることがなくなり、無線ＩＣタグ２０ａに書き込まれた情報を、外部から確実に読み出し、或いは、読み出しと新たな情報の書き込みとを行うことができる。
【００２４】
［実施例３］
図５は、本発明の無線ＩＣタグ付き包装体の実施例３である無線ＩＣタグ付き紙箱を模式的に示す断面図である。
実施例１の無線ＩＣタグ付き紙箱５００は、無線ＩＣタグ２０ａと金属を含む被収納物５０との間隔を所定の距離以上に保つための間隔保持手段として、無線ＩＣタグ２０ａを装着した壁板と被収納物５０との間に所定の厚みの間隔保持部材５を挿入する方法を採用していた。これに対して、実施例３の無線ＩＣタグ付き紙箱７００は、紙箱７００の内部に、図示したように、仕切り板６をその接着片７ａ、７ｂで上下に貼り渡して、紙箱７００の内部を、無線ＩＣタグ２０ａが装着された位置を含む部分と、無線ＩＣタグ２０ａが装着された位置を含まない部分とに区画し、無線ＩＣタグ２０ａが装着された位置を含まない部分に被収納物５０を収納するようにして、間隔保持手段としたものである。
なお、仕切り板６は、斜めに貼り渡してもよく、また、無線ＩＣタグ２０ａが装着された位置を含む部分に、無線ＩＣタグ２０ａの読み取り、書き込みに支障のない被収納物を収納するようにしてもよい。
【００２５】
実施例３の無線ＩＣタグ付き紙箱７００では、紙箱７００に収納された被収納物５０は、その動きが仕切り板６により、無線ＩＣタグ２０ａが装着された位置を含まない部分に限定されると同時に、無線ＩＣタグ２０ａが装着された位置を含む部分のスペースを大きくとることも容易であるため、無線ＩＣタグ２０ａと被収納物５０との間隔を容易に１０ｍｍ以上に大きくすることができる。
従って、実施例３の無線ＩＣタグ付き紙箱７００は、被収納物５０に含まれる金属の悪影響を一層確実になくすことができ、無線ＩＣタグ２０ａに書き込まれた情報を外部から一層確実に読み出し、或いは、読み出しと新たな情報の書き込みとを行えるようになる。
【００２６】
以下に、製造例を挙げて本発明を更に具体的に説明する。
(製造例１)
製造例１の無線ＩＣタグ付き紙箱は、実施例１の無線ＩＣタグ付き紙箱５００を、以下の材料と寸法で作製したものである。
（１）紙箱５００は、外形寸法が縦１２０ｍｍ×横２００ｍｍ×高さ８０ｍｍで、横型のシールカートン形式の箱を作製した。
（２）紙箱用ラミネート材１０は、外側の紙層１１にコートボール（坪量３１０ｇ／ｍ2）を用い、その表面に多色グラビア輪転印刷機を用いて文字、絵柄等の印刷層を印刷した後、その裏面の所定の位置に、無線ＩＣタグ２０ａとして、電磁誘導方式で通信を行うもので、縦４５ｍｍ×横４５ｍｍの寸法で厚みが０．６ｍｍの無線ＩＣタグを、ヒートシール剤を用いて熱接着方式で貼付した。次いで、その上に内側の紙層１２としてコートボール（坪量２３０ｇ／ｍ2）を用い、その裏面を貼り合わせ面として、両者の間に接着層１４として低密度ポリエチレン（厚み３０μｍ）を用いる押し出しラミネーション法で貼り合わせて作製した。
（３）紙箱用ラミネート材１０を、カートンブランク形状に打ち抜いた後、接着部８での胴貼りを行ってシールカートン形式の紙箱５００を作製した。
（４）間隔保持部材５は、厚みが６ｍｍの複両面段ボールシートを縦７２ｍｍ×横１９０ｍｍの寸法に打ち抜いたシートを用いた。
（５）紙箱５００に収納する金属を含む被収納物５０は、下記の構成の積層フィルムをヒートシールして作製した袋に、ＰＴＰ包装した錠剤を詰め合わせて密封包装したものを用いた。
【００２７】
（袋の積層フィルムの構成）
二軸延伸ポリエチレンテレフタレートフィルム（厚み１２μｍ）／接着剤／二軸延伸ポリプロピレンフィルム（厚み２５μｍ）／接着剤／アルミニウム箔（厚み７μｍ〉／接着剤／直鎖状低密度ポリエチレンフィルム（厚み８０μｍ）〔シーラント層〕
上記各フィルムの積層は、ドライラミネーション法で貼り合わせたものであり、各フィルムの間の接着剤には、ドライラミネート用の二液硬化型ポリウレタン系接着剤を用いたものである。
被収納物５０は、その袋とＰＴＰ包装の両方にアルミニウム箔が含まれるものである。
紙箱５００の内部に、図１に示した配置になるように、被収納物５０と間隔保持部材５とを重ねて挿入し、開口部のフラップを閉じ、ホットメルト接着剤で封止して製造例１の無線ＩＣタグ付き紙箱を作製した。
【００２８】
（製造例２）
製造例２の無線ＩＣタグ付き紙箱は、実施例２の無線ＩＣタグ付き紙箱６００に対応したものであり、間隔保持部材５の寸法を、縦６５ｍｍ×横６５ｍｍの寸法に変更して打ち抜くと共に、紙箱６００の接着部８の胴貼りの際に、無線ＩＣタグ２０ａが装着された位置の壁板の内面に、予め酢酸ビニル系エマルジョン接着剤で貼付したほかは、総て製造例１と同様に作製した。
【００２９】
（製造例３）
製造例３の無線ＩＣタグ付き紙箱は、実施例３の無線ＩＣタグ付き紙箱７００に対応したものであり、紙箱の内部に、図５に示したように、紙箱７００の内部を区画する仕切り板６として、紙箱用ラミネート材１０の構成のうち、外側の紙層１１と内側の紙層１２のみを接着層１４で貼り合わせたラミネート材を作製し、これを打ち抜き加工して、両側の端部に接着片７ａ、７ｂを有する仕切り板６を作製し、紙箱７００の胴貼りの際に、同時に紙箱７００の天板と底板の間に接着片７ａ、７ｂで貼り渡して、無線ＩＣタグ２０ａを装着した壁板と被収納物５０との間に略１２ｍｍ程度の間隔をとれるようにしたほかは、総て製造例１と同様に作製した。
【００３０】
（比較例１）
比較例１の無線ＩＣタグ付き紙箱は、製造例１の無線ＩＣタグ付き紙箱から、間隔保持部材５の挿入のみを取り止めたほかは、総て製造例１と同様に作製した。
【００３１】
以上のように作製した製造例１〜３および比較例１の無線ＩＣタグ付き紙箱を評価するため、それぞれの無線ＩＣタグ付き紙箱を試料として、リーダー／ライター（電磁誘導方式）を用いて、３０ｃｍの距離から無線ＩＣタグ２０ａに記憶させた情報の読み出し試験を行った。
【００３２】
上記読み出し試験の結果は、製造例１，２，３の各試料については、いずれも紙箱の紙層の間に装着された無線ＩＣタグ２０ａと、その背面側に収納された被収納物５０との間隔が、間隔保持部材５または仕切り板６により、少なくとも６ｍｍ以上には離されているので、特に問題なく読み出すことができた。
これに対して、比較例１の試料では、無線ＩＣタグ２０ａと被収納物５０との間に、間隔保持部材５が挿入されていないので、無線ＩＣタグ２０ａと、その背面側に収納された被収納物５０との間隔が１ｍｍ程度に接近することがあり、被収納物５０に含まれるアルミニウム箔による悪影響を受け、無線ＩＣタグ２０ａに記憶させた情報を正確に読み出すことができない問題があり好ましくなかった。
【００３３】
（製造例４）
製造例４の無線ＩＣタグ付き包装体は、図には示していないが、収納体が紙を含まない袋体（以下、外袋という）であり、その外袋に被収納物が複数の内袋を集積包装したものである。
（内袋）
内袋は、下記の構成の積層フィルムを用いて、４方シール形式の小袋が縦方向に３個、横方向に２個（合計６個）、それぞれミシン目線を介して連結された連続袋形式であり、それぞれの小袋に、顆粒状の内容物を密封包装して作製した。内袋の外形寸法は、幅８４ｍｍ、長さ１８０ｍｍである。
（内袋用積層フィルム）
内袋用積層フィルムは、二軸延伸ポリエチレンテレフタレートフィルム（厚み１２μｍ）／接着剤／アルミニウム箔（厚み７μｍ）／接着剤／無延伸線状低密度ポリエチレンフィルム（厚み４０μｍ）の積層体である。
【００３４】
（外袋）
外袋は、下記の構成の積層フィルムを用いて、ガセット形式の袋とし、幅８４ｍｍ、長さ１８０ｍｍ、両側のガゼット折込み部の折込み幅が各２０ｍｍ（袋を起こしたときの厚みは４０ｍｍ）となるように作製した。上記外袋を製袋するときに、外袋用積層フィルムの層間に、無線ＩＣタグを挿入した。
【００３５】
（外袋用積層フィルム）
外袋用積層フィルムは、二軸延伸ポリエチレンテレフタレートフィルム（厚み１２μｍ）（裏面印刷）／アンカーコート／無線ＩＣタグ／低密度ポリエチレン熔融押出（厚み５０μｍ）の積層体である。
この外袋用積層フィルムは、二軸延伸ポリエチレンテレフタレートフィルムの裏面から印刷すると同時に、見当あわせの印も同時に印刷し、前記印刷面上にアンカーコートを行い、さらに、見当あわせの印に従い、後程、ガゼット袋の大きさに断裁する周期（一つのガゼット形式袋体に付き、１つの無線ＩＣタグが割り当てられるように）で、前記アンカーコート面上の一部に、無線ＩＣタグを接着剤により貼付した。
この外袋用積層フィルムは、アンカーコート面のすべてを、無線ＩＣタグが被わず、前記アンカーコート面が面積比２０％以上露出している状態である。この理由は、前記無線ＩＣタグ上に低密度ポリエチレンを溶融押し出ししても、接着強度が得られないため、接着強度の得られるアンカーコート面と接触する部分を広くすることにより、接着強度を維持するためである。さらに、外袋用積層フィルムは、その上からシーラント層低密度ポリエチレンを５０μｍの厚みでエクストルージョンコート（熔融押出コート）を行った。
【００３６】
製造例４の無線ＩＣタグ付き包装体は、この外袋用積層フィルムを用いて、ガセット形式の外袋の内部に、顆粒状の内容物を密封包装した連続袋形式の内袋８個を積み重ね、さらに、その上に間隔保持部材として、内袋の幅と長さが略同寸法で厚みが５ｍｍの発泡ポリプロピレンの板状体を重ね、その発泡ポリプロピレンの板状体が、積層フィルムに封入されている無線ＩＣタグ側に位置するように挿入した後に、外袋の開口をヒートシールして作製した。
【００３７】
（比較例２）
比較例２の無線ＩＣタグ付き包装体は、製造例４の無線ＩＣタグ付き包装体から、間隔保持部材の挿入のみを取り止めたほかは、総て製造例４と同様に作製した。
【００３８】
以上のように作製した製造例４および比較例２の無線ＩＣタグ付き包装体を評価するため、それぞれの無線ＩＣタグ付き包装体を試料として、リーダー／ライター（電磁誘導方式）を用いて、３０ｃｍの距離から無線ＩＣタグに記憶させた情報の読み出し試験を行った。
【００３９】
上記読み出し試験の結果は、製造例４の試料については、外袋に装着された無線ＩＣタグと、その背面側に収納された被収納物との間隔が、間隔保持部材により、少なくとも５ｍｍ以上には離されているので、特に問題なく読み出すことができた。
これに対して、比較例２の試料では、無線ＩＣタグと被収納物との間に、間隔保持部材が挿入されていないので、無線ＩＣタグと、その背面側に収納された被収納物との間隔が１ｍｍ程度に接近することがあり、被収納物に含まれるアルミニウム箔による悪影響を受け、無線ＩＣタグに記憶させた情報を正確に読み出すことができない問題があり好ましくなかった。
【００４０】
以上説明した実施例に限定されることなく、種々の変形や変更が可能であって、それらも本発明の均等の範囲内である。
（１）本発明において、包装体は、一個の外箱（又は外袋）に一個の内袋（被収納物）を収納する形態のほか、一個の外箱（又は外袋）に複数個の内袋を収納する集合包装の形態であってもよい。
（２）間隔保持手段は、内袋と無線ＩＣタグとの間隔を所定の距離に保持できるものであれば、特に限定はされず、外箱の内部に、内袋と共に金属を含まない添付物などを収納できる場合は、その添付物などを、外箱の無線ＩＣタグが装着された部分の内側と、内袋との間に収納して無線ＩＣタグと内袋との間に、所定の間隔がとれるようにする包装形態であってもよい。
（３）仕切り板６は、板紙や段ボールなど外箱と同じ材料を用いることが、加工性がよく、強度のバランスにも優れ、材料入手も容易であることから好ましいが、特に限定はされず、剛性など必要な強度を有するものであれば、外箱と異なる材料を用いてもよい。
（４）無線ＩＣタグ付き包装体は、被収納物や用途に関して、内容物を金属箔や金属蒸着層を有する包装材で包装するガスバリヤー性や遮光性を必要とする場合に好適に使用できるが、特に制限はない。
（５）実施例１は、外箱の無線ＩＣタグが装着された面板と内袋との間に、間隔保持手段として、所定の厚みの板状の間隔保持部材を挿入したものであるが、間隔保持部材を挿入することなく、外箱の内面と内袋が無線ＩＣタグと距離を持った部分で接着されているだけでもよい。この接着は、部分的に接着されていればよく、輸送中に動かないようであればよい。また、この接着は、内袋を外箱から取り出すときに剥離することが、使用上好ましい場合が多い。この接着は、公知の接着剤、ホットメルトなどが好適である。
【産業上の利用可能性】
【００４１】
本発明の無線ＩＣタグ付き包装体は、内容物を密封包装した内袋（被収納物）の場合に、その内袋が、内容物の保存性を高めるため、ガスバリヤー層、遮光層として、アルミニウムや銅などの金属箔や金属蒸着層を含む積層フィルムで形成されているとき等でも、収納体のいずれかの面に無線ＩＣタグを装着することにより、外部から電磁波によりＩＣチップに記憶させた情報を支障なく読み出し、或いは、読み出しと書き込みをできるようにして、その包装体（商品〉の流通の効率化を可能としたものである。
【図面の簡単な説明】
【００４２】
【図１】本発明の無線ＩＣタグ付き包装体の実施例１である無線ＩＣタグ付き紙箱を模式的に示す断面図である。
【図２】実施例１の無線ＩＣタグ付き包装体に用いる紙箱用ラミネート材の一例を模式的に示す断面図である。
【図３】実施例１の無線ＩＣタグ付き包装体に用いる無線ＩＣタグの一例を模式的に示す平面図である。
【図４】本発明の無線ＩＣタグ付き包装体の実施例２である無線ＩＣタグ付き紙箱を模式的に示す断面図である。
【図５】本発明の無線ＩＣタグ付き包装体の実施例３である無線ＩＣタグ付き紙箱を模式的に示す断面図である。
【符号の説明】
【００４３】
５；間隔保持部材，６；仕切り板，７ａ，７ｂ；接着片，１０；紙箱用ラミネート材，１１；外側の紙層，１２；内側の紙層，１３；印刷層，１４；接着層，２０ａ；無線ＩＣタグ，２１；支持体，２２；アンテナ，２３；ＩＣチップ，５０；金属を含む被収納物，５００，６００，７００；無線ＩＣタグ付き紙箱
【図１】
2006256694.tif 000003
【図２】
2006256694.tif 000004
【図３】
2006256694.tif 000005
【図４】
2006256694.tif 000006
【図５】
2006256694.tif 000007